(57)【要約】【課題】簡単な構成で、サンバイザーと、丸帽子と、ヘアバンドとを必要に応じて自由に組み合わせて使用することができ、さらに、サンバイザーとヘアバンドとの少なくとも一方と丸帽子とを組み合わせて使用する際に必要に応じて態様を変化させることができる頭部装着物を提供する。【解決手段】頭部装着物は、頭部を覆う丸帽子１と、ひさし部２０と環帯状頭部装着部２１とを有するサンバイザー２と、環帯状のヘアバンド３とを備えており、サンバイザー２の環帯状頭部装着部２１または環帯状のヘアバンド３のいずれか一方または双方を丸帽子と連結するための連結紐４が丸帽子１に設けられている。連結紐４は、その一端４０が丸帽子１の内側面１０に固着され、他端４１が丸帽子１の外側面１１に着脱可能に係止されて、一端４０と他端４１との間の中間部が上下方向に延びるように配置されている。【選択図】図７
0003163281.tif 000002
【実用新案登録請求の範囲】
【請求項１】
頭部を覆う丸帽子と、ひさし部と環帯状頭部装着部とを有するサンバイザーと、環帯状のヘアバンドとを備えており、
可撓性を有する連結紐が、その一端を丸帽子の内側面に固着されるとともに、その他端を丸帽子の外側面に着脱可能に係止され、一端と他端との間の中間部が上下方向に延びるように配置されており、サンバイザーの環帯状頭部装着部または環帯状のヘアバンドのいずれか一方または双方を丸帽子と連結可能であることを特徴とする頭部装着物。
【請求項２】
前記連結紐は、その一端が前記丸帽子の後方の内側面に固着され、その他端が前記丸帽子の後方の外側面であって、前記一端が固着された位置よりも上方に着脱可能に係止されており、その中間部が前記丸帽子の後方下端縁からさらに下方に延びる長さを有していることを特徴とする請求項１に記載の頭部装着物。
【請求項３】
前記連結紐の他端と前記丸帽子の内側面とに、互いに着脱可能な一対からなるスナップを設けたことを特徴とする請求項１または２に記載の頭部装着物。
【考案の詳細な説明】
【技術分野】
【０００１】
本考案は、サンバイザーと丸帽子とヘアバンドとを含む頭部装着物に関するものである。
【背景技術】
【０００２】
例えばテニスやゴルフなどの野外スポーツ、あるいは、散歩や庭弄りなどの野外活動において、日差しや気温などの天候に応じて、頭部に各種の帽子あるいはこれに類するものを装着することが一般的に行われている。
特に、比較的日差しが強い場合などには、顔に当る光を遮るために、サンバイザーを頭部に装着することが多い。サンバイザーは一般に、ひさし部と環帯状頭部装着部とを有しており、頭部を覆わないよう構成されている。
また、特に、比較的気温が低く、日差しが弱い場合などには、丸帽子を頭部に装着することが多い。丸帽子は一般に、ひさしが無く椀状に成形されて頭部全体を覆うよう構成されている。そして、丸帽子は、非常に気温が低い場合には、耳まで覆うように下端縁の位置を下げて装着し、また、それほど気温が低くない場合には、頭頂部のみを覆うように下端縁の位置を耳よりも上で止めて装着する。
さらに、特に、髪が乱れないように留めておきたい場合や、気温が高く汗が流れ落ちるのを止めたり吸着させたい場合、あるいは、比較的気温が低いものの運動量が多い場合などには、一般に環帯状に成形されたヘアバンドを頭部に装着することが多い。髪を単に留める目的の場合や汗が流れ落ちるのを止める場合に使用するヘアバンドは一般に、幅が比較的小さく（狭く）、額から耳の上に位置するように装着する。一方、比較的気温が低く耳を保温したい場合に使用するヘアバンドは一般に、幅が比較的大きく（広く）、額から耳を覆うように装着する。
そして、野外スポーツや野外活動においては、一般に天候に関わりなく、頭部を保護するため、あるいは、ユニホームの一部として、丸帽子にひさしが付いたキャップを使用することが多い。
【０００３】
また、これら異なる種類の各種の帽子あるいはこれに類するものを必要に応じて組み合わせて使用することができるように構成したものが知られている（たとえば特許文献１、２を参照）。
特許文献１には、頭部を覆う椀形状のキャップ部と、半月形の目庇および該目庇の基端側において立設した状態で環状をなして目庇を頭部に固定する帯状体からなるサンバイザー部とを有し、前記キャップ部は、着脱手段によって前記サンバイザー部の帯状体に着脱自在に取付けられる、ことなどを特徴とするツーウェイキャップが開示されている。
また、特許文献１には、頭部を覆う椀形状のキャップ部と、半月形の目庇および該目庇の基端側において立設する帯状体からなる庇部と、を有し、該庇部は、着脱手段によって前記キャップ部に取付けられる、ことを特徴とするツーウェイキャップが開示されている。
そして、特許文献１には、キャップ部とサンバイザー部あるいは庇部とを着脱自在に取付けるための着脱手段として、ホックまたは着脱自在テープが開示されている。
【０００４】
また、特許文献２には、頭部外周に被着可能であって下部折曲部を介して上側に折り曲げられ上縁に開口部を有するように外側環状帯部及び内側環状帯部から形成された帯状本体部と、前記帯状本体部の内側環状帯部の開口部内に設けられた取付釦部と、前記帯状本体部の前側下部に一体に形成された鍔部とを有するサンバイザー帽子部と、頭部を被覆可能であって内層部及び外層部から形成された半球状本体部と、前記半球状本体部の内層部に前記帯状本体部に形成された取付釦部に対応して設けられた釦穴部とを有する丸帽子部とからなり、前記サンバイザー帽子部と丸帽子部とが前記取付釦部及び釦穴部を介して着脱自在に取り付けられ、前記サンバイザー帽子部と丸帽子部のそれぞれ単体及び両者を合体して使用することができることなどを特徴とするスリーウェイ帽子が開示されている。すなわち、特許文献２においては、サンバイザー帽子部の帯状本体部と丸帽子部の半球状本体部とを連結するための手段として、取付釦部と釦穴部が開示されている。
【先行技術文献】
【特許文献】
【０００５】
【特許文献１】特開２００６−２４９６４７号公報
【特許文献２】実用新案登録第３１５０５７４号公報
【考案の概要】
【考案が解決しようとする課題】
【０００６】
上記特許文献１にあっては、ひさし部と環帯状頭部装着部とを有するサンバイザーと、丸帽子にひさしが付いたキャップとの、二通りしか態様を変化させることができなかった。また、上記特許文献２にあっては、ひさし部と環帯状頭部装着部とを有するサンバイザーと、丸帽子にひさしが付いたキャップと、丸帽子のみ（ワッチキャップ）との、三通りしか態様を変化させることができなかった。
【０００７】
そして、上述したように、耳を覆うか否かなど、天候などに応じて頭部に装着する態様が異なる。しかしながら、上記従来の技術にあっては、異なる種類の帽子等を連結して組み合わせ使用するために、特許文献１に開示されているようにホックを用いる場合や、特許文献２に開示されているように取付釦部と釦穴部を用いる場合には、その互いに連結する位置を変更することが困難であることから、例えば気温が低いときに耳まで覆うように深く被るなど、天候などに応じて異なる態様に変化させて頭部に装着することができないという問題があった。また、上記従来の技術において、特許文献１に開示されているように着脱自在テープを用いる場合であっても、異なる種類の帽子等を互いに連結する位置を変更することができる範囲は限られており、天候などに応じて異なる態様に充分に変化させて頭部に装着することができないという問題があった。
【０００８】
本考案は、上述した問題を優位に解決するためになされたもので、簡単な構成で、ひさし部と環帯状頭部装着部とを有するサンバイザーと、頭部を覆う丸帽子と、環帯状のヘアバンドとを必要に応じて自由に組み合わせて使用することができる頭部装着物を提供することを目的とする。
また、本考案は、上述した問題を優位に解決するためになされたもので、簡単な構成で、サンバイザーとヘアバンドとの少なくとも一方と丸帽子とを組み合わせて使用する際に必要に応じて態様を変化させることができる頭部装着物を提供することを目的とする。
さらに、本考案は、上述した問題を優位に解決するためになされたもので、簡単な構成で、サンバイザーとヘアバンドとの少なくとも一方を丸帽子と必要に応じて組み合わせて使用する際に、容易に連結することができる頭部装着物を提供することを目的とする。
【課題を解決するための手段】
【０００９】
請求項１の頭部装着物に係る考案は、上記目的を達成するため、頭部を覆う丸帽子と、ひさし部と環帯状頭部装着部とを有するサンバイザーと、環帯状のヘアバンドとを備えており、可撓性を有する連結紐が、その一端を丸帽子の内側面に固着されるとともに、その他端を丸帽子の外側面に着脱可能に係止され、一端と他端との間の中間部が上下方向に延びるように配置されており、サンバイザーの環帯状頭部装着部または環帯状のヘアバンドのいずれか一方または双方を丸帽子と連結可能であることを特徴とするものである。
請求項２の頭部装着物に係る考案は、上記目的を達成するため、請求項１に記載の考案において、前記連結紐は、その一端が前記丸帽子の後方の内側面に固着され、その他端が前記丸帽子の後方の外側面であって、前記一端が固着された位置よりも上方に着脱可能に係止されており、その中間部が前記丸帽子の後方下端縁からさらに下方に延びる長さを有していることを特徴とするものである。
請求項３の頭部装着物に係る考案は、上記目的を達成するため、請求項１または２に記載の考案において、前記連結紐の他端と前記丸帽子の内側面とに、互いに着脱可能な一対からなるスナップを設けたことを特徴とするものである。
【考案の効果】
【００１０】
請求項１に記載の考案によれば、可撓性を有する連結紐の一端を丸帽子の内側面に固着するとともに、他端を丸帽子の外側面に着脱可能に係止して、一端と他端との間の中間部が上下方向に延びるように配置して、サンバイザーの環帯状頭部装着部と環帯状のヘアバンドとのいずれか一方または双方を丸帽子と連結可能とした簡単な構成により、丸帽子とサンバイザーとヘアバンドとを必要に応じて自由に組み合わせて使用することができる。
請求項２に記載の考案によれば、請求項１に記載の考案において、連結紐の一端を丸帽子の後方の内側面に固着し、他端を丸帽子の後方の外側面であって、一端が固着された位置よりも上方に着脱可能に係止して、中間部が前記丸帽子の後方下端縁からさらに下方に延びるような長さを有していることにより、丸帽子に対して連結するサンバイザーの環帯状頭部装着部または環帯状のヘアバンドの位置を必要に応じて容易に調整し、態様を変更することができる。
請求項３に記載の考案によれば、請求項１または２に記載の考案において、互いに着脱可能な一対からなるスナップを連結紐の他端と丸帽子の内側面とに設けた簡単な構成により、サンバイザーとヘアバンドとの少なくとも一方を丸帽子と必要に応じて組み合わせて使用する際に、サンバイザーとヘアバンドとの少なくとも一方を丸帽子に容易に連結することができる。
【図面の簡単な説明】
【００１１】
【図１】本考案を構成する丸帽子を示した断面図である。
【図２】本考案を構成するサンバイザーを示した側面図である。
【図３】本考案を構成するヘアバンドを示した側面図である。
【図４】図１に示した丸帽子と図２に示したサンバイザーとを組み合わせて使用する場合を示した部分断面図である。
【図５】図１に示した丸帽子と図３に示したヘアバンドとを組み合わせて使用する場合を示した部分断面図である。
【図６】図２に示したサンバイザーと図３に示したヘアバンドとを組み合わせて使用する場合を示した部分断面図である。
【図７】図１〜３に示した丸帽子、サンバイザー、およびヘアバンドを組み合わせて使用する場合を示した部分断面図である。
【考案を実施するための形態】
【００１２】
本考案の頭部装着物の実施の一形態を、主に図１〜図３に基づいて詳細に説明する。
本考案の頭部装着物は、概略、頭部を覆う丸帽子１と、ひさし部２０と環帯状頭部装着部２１とを有するサンバイザー２と、環帯状のヘアバンド３とを備えており、サンバイザー２の環帯状頭部装着部２１または環帯状のヘアバンド３のいずれか一方または双方を丸帽子１と連結するための連結紐４が丸帽子１に設けられている。そして、連結紐４は、その一端４０が丸帽子１の内側面に固着され、他端４１が丸帽子１の外側面に着脱可能に係止されて、一端４０と他端４１との間の中間部が上下方向に延びるように配置されている。
また、本考案の頭部装着物は、連結紐４の一端４０が丸帽子１の後方の内側面１０に固着され、連結紐４の他端４１が丸帽子１の後方の外側面１１であって、一端４０が固着された位置よりも上方に着脱可能に係止されており、連結紐４の中間部４２が丸帽子１の後方下端縁１２からさらに下方に延びる長さを有している。
さらにまた、本考案の頭部装着物は、互いに着脱可能な一対５０，５１からなるスナップ５が、連結紐４の他端４１と丸帽子１の外側面１１に設けられている。
【００１３】
丸帽子１は、図１に示すように、頂部１３が閉じるとともに下端縁１２が開放しており、頭部を覆うよう椀形状に成形されたものである。丸帽子１は全体が頭部周方向に伸縮可能なニットにより構成されており、筒状に編んだものの頂部１３となる一方端を複数箇所で縫い合わせることなどにより椀形状に成形されている。また、この実施の形態では、開放する他方端（下端縁１２）が折り返されており、下端縁１２から頂部１３までの深さが、頭部に装着したときに下端縁１２が耳の上方に位置するように設定されている。なお、丸帽子１に設けられる連結紐４については、後に詳述する。
【００１４】
サンバイザー２は、図２に示すように、ひさし部２０と環帯状頭部装着部２１とを有しており、それ自体単独で使用する場合には、頭部が覆われることなく露出するよう構成されている。サンバイザー２は、全体の表面が伸縮可能なニットにより構成されており、ひさし部２０に芯材が設けられており、環帯状頭部装着部２１の内側に伸縮しない内張りが設けられている。環帯状頭部装着部２１の後方は、面ファスナを有するテープ２２によって構成されており、使用する人の頭部の大きさに応じて調節可能となっている。
【００１５】
ヘアバンド３は、環帯状で、その幅（高さ）Ｌ３がサンバイザー２の環帯状頭部装着部２１の幅（高さ）Ｌ２よりも広く、一定の幅を有しており、後述するように装着したときに耳を覆おうことができるよう設定されている。ヘアバンド３は、頭部周方向に伸縮可能なニットにより構成されている。すなわち、上述した丸帽子１、サンバイザー２の表面、およびヘアバンド３は、同じニットで構成されている。そして、丸帽子１、サンバイザー２、およびヘアバンド３は、同じ編み方、色や柄でデザインされている。そのため、後述するように丸帽子１、サンバイザー２、およびヘアバンド３を必要に応じて互いに組み合わせて使用するときに、一体のものに見えるようになっている。
【００１６】
連結紐４は、所定の幅を有する布製のテープ状のもので、その一端４０は、丸帽子１の後方の内側面１０に縫い付けられており、他端４１には一対５０，５１からなり互いに着脱可能なスナップ５の一方５１が取り付けられている。そして、スナップ５の他方５０は、連結紐４の幅とほぼ同じ幅の布（図示は省略する）に取り付けられており、この布を丸帽子１の外側面１１に縫い付けることにより、ニット製の丸帽子１に設けられている。なお、スナップ５の他方５０を設ける位置は、丸帽子１の後方の外側面１１であって連結紐４の一端４０が縫い付けられた位置よりも上方に縫い付けられている。そして、連結紐４の長さは、丸帽子１の後方の折り返した下端縁１２からさらに下方に延びており、最下位置となる折り返し中間点４２から一端に取り付けられたスナップ５の一方５１までの長さＬ４がヘアバンド３の幅Ｌ３よりも僅かに長くなるように設定されている。
【００１７】
次に、本考案の頭部装着物の使用状態を、図１〜図７に基づいて詳細に説明する。
図４は、丸帽子１とサンバイザー２を組み合わせて使用する場合を示したものである。図４に示した実施の形態では、サンバイザー２の環帯状頭部装着部２１の外側に丸帽子１の下方開口部を重ね、連結紐４はサンバイザー２の環帯状頭部装着部２１の内側を通り、スナップ５が留められ係止されている。このように組み合わせることにより、顔に当る光を遮るとともに、頭部全体を覆い、丸帽子１とサンバイザー２との双方の機能を得ることができる。そして、このように組み合わせることにより、従来からある丸帽子にひさしが付いたキャップと同様に構成として、その機能を得ることもできる。
【００１８】
図５は、丸帽子１とヘアバンド３を組み合わせて使用する場合を示したものである。図５に示した実施の形態では、丸帽子１の下方開口部の外側にヘアバンド３を重ね、連結紐４はヘアバンド３の外側を通り、スナップ５が留められ係止されている。連結紐４の中間部が丸帽子１の後方下端縁１２からさらに下方に延びる長さを有していることにより、ヘアバンド３の側部から後方を下方にずらして、耳を覆うように調整して頭部に装着することができる。また、連結紐４の一端４０が丸帽子１の内側面１０に固着されるとともに他端４１が外側面１１に係止されてループ状となっていることにより、丸帽子１に対して連結したヘアバンド３後方を下方にずらす位置が規制されるため、丸帽子１の後方の下端縁１２とヘアバンド３との間に隙間が生じるのを防止することができる。そのため、頭部全体を覆うことができるものの下端縁１２が耳の上までしか位置しない丸帽子１の機能と、耳まで覆うことができるヘアバンド３の機能とを組み合わせることができ、したがって、保温性を高めて比較的気温が低い場合にも対処することが可能な暖かい頭部装着物とすることができる。なお、ヘアバンド３が完全に耳を覆うことなく、耳の上方のみを覆うだけでよい場合などには、連結紐４が可撓性を有しているため（図１の鎖線を参照）、ヘアバンド３の側部から後部にかけての部分を図５に示した位置よりも上方に調整することができる（図５の矢印を参照）。
【００１９】
図６は、サンバイザー２とヘアバンド３を組み合わせて使用する場合を示したものである。図６に示した実施の形態では、サンバイザー２の環帯状頭部装着部２１の外側にヘアバンド３を重ねている。このように組み合わせることにより、顔に当る光を遮るとともに、耳を覆うことができることから、サンバイザー２とヘアバンド３の機能を得ることができる。
【００２０】
図７は、丸帽子１とサンバイザー２とヘアバンド３を全て組み合わせて使用する場合を示したものである。図７に示した実施の形態では、サンバイザー２の環帯状頭部装着部２１の外側に丸帽子１の下方開口部を重ね、さらに、丸帽子１の下方開口部の外側にヘアバンド３を重ねている。連結紐４はサンバイザー２の環帯状頭部装着部２１の内側を通り、ヘアバンド３の外側を通って、スナップ５が留められ係止されている。上述したように、連結紐４の中間部が丸帽子１の後方の下端縁１２からさらに下方に延びる長さを有していることにより、ヘアバンド３の側部から後方を下方にずらして、耳を覆うように調整して頭部に装着することができる。また、連結紐４が丸帽子１の内側面１０と外側面１１との間でループ状となっていることにより、丸帽子１に対して連結したヘアバンド３後方を下方にずらす位置が規制されるため、丸帽子１の後方の下端縁１２とヘアバンド３との間に隙間が生じるのを防止することができる。そして、ヘアバンド３が完全に耳を覆うことなく、耳の上方のみを覆うだけでよい場合であっても、連結紐４が可撓性を有しているため（図１の鎖線を参照）、ヘアバンド３の側部から後部にかけての部分を図７に示した位置よりも上方（図７の矢印を参照）に調整することができる。このように組み合わせることにより、顔に当る光を遮るとともに、頭部全体だけ出なく耳も覆うことができ、したがって、丸帽子１とサンバイザー２とヘアバンド３との全ての機能を得ることができる。そして、このように組み合わせることにより、従来からある丸帽子にひさしが付いたキャップに加えて、耳も保温することが可能な機能を得ることもできる。
【００２１】
なお、本考案は、丸帽子１（図１）と、サンバイザー２（図２）と、ヘアバンド３（図３）とを、それぞれ単独で使用することも勿論可能である。
【産業上の利用可能性】
【００２２】
本考案は、上述した実施の形態に限定されることはなく、連結紐４の他端４１を丸帽子１に係止するために、スナップ５に代えて、面ファスナや、バックル、丸帽子１に連結紐４の他端４１と結びつけることが可能な紐を丸帽子１に設けるなど、他の手段を用いることも含まれる。
【符号の説明】
【００２３】
１：丸帽子、  ２：サンバイザー、  ３：ヘアバンド、  ４：連結紐、  ５：スナップ、  １０：丸帽子の内側面、  １１：丸帽子の外側面、  １２：丸帽子の下端縁、  ２０：ひさし部、  ２１：環帯状頭部装着部、  ４０：連結紐の一端、  ４１：連結紐の他端、  ４２：連結紐の折り返し中間点、  ５０：スナップの他方、  ５１：スナップの一方
【図１】
0003163281.tif 000003
【図２】
0003163281.tif 000004
【図３】
0003163281.tif 000005
【図４】
0003163281.tif 000006
【図５】
0003163281.tif 000007
【図６】
0003163281.tif 000008
【図７】
0003163281.tif 000009